(57)【要約】      （修正有）【課題】畦畔法面や土手などの斜面に、雑草の草刈り等の作業を行う際の足場となる歩行部を構築するために用いる足場ユニットを提供する。【解決手段】法面の斜面に設置して、該斜面の直角方向に人が歩行可能とする幅を有する足場ユニット１であって、該足場ユニット１は、所定長を有する略三角柱の足場２と、該足場２を法面の斜面に固定するアンカーボルト３よりなる。前記足場２は、所定長を有する三角柱の一辺を前記斜面へ載置する台座とし、該台座は、長尺側の中心軸に沿って所定幅の凹溝１０が彫設されて、該凹溝１０の両側には前記斜面に埋設する突部１２が形成されている。所定長を有する三角柱の他の二辺は歩行面とし、何れかの歩行面から前記台座を貫通する複数の貫通孔９が設けられており、該貫通孔９には、前記足場２を前記斜面に固定する複数のアンカーボルト３が設けられている畦畔草刈り用足場ユニット１。【選択図】図１
2019143458.tif 000002
【特許請求の範囲】
【請求項１】
法面の斜面に設置して、該斜面の直角方向に人が歩行可能とする幅を有する足場ユニットであって、該足場ユニットは、所定長を有する略三角柱の足場と、該足場を法面の斜面に固定するアンカーボルトよりなり、
前記足場は、所定長を有する三角柱の一辺を前記斜面へ載置する台座とし、該台座は長尺側の中心軸に沿って所定幅の凹溝が彫設されて、該凹溝の両側には前記斜面に埋設する突部が形成されており、
所定長を有する三角柱の他の二辺は歩行面とし、何れかの歩行面から前記台座を貫通する複数の貫通孔が設けられており、該貫通孔には、前記足場を前記法面の斜面に固定する複数のアンカーボルトが挿通されていることを特徴とする畦畔法面草刈り用足場ユニット。
【請求項２】
前記足場は、台座が所定厚さを有するとともに、該台座の幅が三角柱の長尺側に対して直角方向に延伸して形成されていることを特徴とする請求項１に記載の畦畔法面草刈り用足場ユニット。
【請求項３】
前記足場は、台座と歩行面が分離して成形されて、前記台座の表面に前記歩行面の底面が跨設しており、
前記台座の表面には、該台座の長尺側の中心軸に沿って所定幅の凸壁が設けられており、前記歩行面の底面には、該歩行面の長尺側の中心軸に沿って所定幅の凹溝が形成されていることを特徴とする請求項２に記載の畦畔法面草刈り用足場ユニット。
【請求項４】
前記足場は、歩行面の底面が跨設している部位の台座の表面側は、台座の表面に対して勾配が設けられていることを特徴とする請求項３に記載の畦畔法面草刈り用足場ユニット。
【請求項５】
前記足場は、少なくとも台座が鉄筋コンクリートで成形されていることを特徴とする請求項１〜４の何れかに記載の畦畔法面草刈り用足場ユニット。
【発明の詳細な説明】
【技術分野】
【０００１】  本発明は、畦畔法面や土手などの斜面に、雑草の草刈り等の作業を行う際の足場となる歩行部を構築するために用いる足場ユニットに関する。
【背景技術】
【０００２】  水田等の畦畔法面に雑草が生い茂ると、稲等の作物に被害を及ぼす害虫の温床となる。畦畔を管理する農業従事者は、畦畔法面や土手などに生えた雑草を刈払う草刈作業を行うが、一部の雑草は生長が早くて繁殖力が強く、草刈作業を行っても、直ぐに新芽・脇芽が生長して大きな群落を作るため、草刈作業は、田植え時期から稲刈りまでの間に何度も行う必要があった。【０００３】  しかし、山間棚田地帯の畦畔法面などは、急勾配の斜面となっていることも多く、その斜面を横歩きしたり、斜面に立ってエンジン搭載の刈払機等を操作する作業は、農業従事者への労力の負担が大きく、足を滑らせて転倒したり滑落する危険があった。特に山間地域では、基盤整備によって長さ数十メートル以上の大規模な畦畔法面が造成されており、その法面は斜度４０〜５０°程度の急勾配となっている。【０００４】  一方、農業従事者は高齢化が進行しており、法面の草刈り作業は、非常に過酷なものとなり、滑落事故を生ずる危険性も高い。そこで、大規模な畦畔法面における草刈り作業の労力を軽減し、滑落事故を防止するために、その法面を横切るように草刈り作業の足場となる小道や段部を設けることが望まれている。【０００５】  この問題を解決するために、畦畔等の法面に犬走り構築ユニットのユニット本体が、複数の杭打ち穴が設けられた横長な方形の天板部と、天板部の片方の長辺に沿って短脚を形成する第１の脚板部と、天板部の他方の長辺に沿って長脚を形成する第２の脚板部とを有する形状に硬質プラスチックで成形され、天板部に設けた杭打ち穴から打込む抗によって土の斜面に固定される構成となっている犬走り構築ユニットが開示されている（特許文献１参照。）。
【先行技術文献】
【特許文献】
【０００６】
【特許文献１】実用新案登録第３１５１６９４号公報
【発明の概要】
【発明が解決しようとする課題】
【０００７】  特許文献１に記載の犬走り構築ユニットは、硬質プラスチック製で、底面が開放された箱型に成形されており、第１及び第２の脚板部の下端に、土の斜面に突き刺さる複数のアンカー突起が下方に突出するように形成されると共に、当該アンカー突起が土の斜面に突き刺さる深さを規制するストッパとなるフランジが側方に突出して形成されている。【０００８】  このような構成の犬走り構築ユニットは、前記フランジ面より内部側に土が入ることを規制され空間が生じているので、犬走り構築ユニットをアンカーで法面に保持しても、風雨に晒されると雨水で法面に設置した犬走り構築ユニットの底面が侵食されることにより、前記犬走り構築ユニットが法面に対して不安定となり、農業従事者が斜面に立ってエンジン搭載の刈払機等を操作する時に、足を滑らせて転倒又は滑落するおそれがあった。
【課題を解決するための手段】
【０００９】  本発明の畦畔草刈り用足場ユニットは、前記課題を解決するためになされたものであり、法面に施工した後は、長期間にわたり安定して畦畔法面草刈り用足場ユニットとして使用できるものである。【００１０】  本発明の畦畔法面草刈り用足場ユニットは、法面の斜面に設置して、該斜面の直角方向に人が歩行可能とする幅を有する足場ユニットであって、該足場ユニットは、所定長を有する略三角柱の足場と、該足場を法面の斜面に固定するアンカーボルトよりなる。
前記足場は、所定長を有する三角柱の一辺を前記斜面へ載置する台座とし、該台座は、長尺側の中心軸に沿って所定幅の凹溝が彫設されて、該凹溝の両側には前記斜面に埋設する突部が形成されている。
所定長を有する三角柱の他の二辺は歩行面とし、何れかの歩行面から前記台座を貫通する複数の貫通孔が設けられており、該貫通孔には、前記足場を前記法面の斜面に固定する複数のアンカーボルトが挿通されていることを特徴とする。【００１１】  前記足場は、台座が所定厚さを有するとともに、該台座の幅が三角柱の長尺側に対して直角方向に延伸して形成されている。また、前記足場は、台座と歩行面が分離して成形されて、前記台座の表面に前記歩行面の底面が跨設しており、前記台座の表面には、該台座面の長尺側の中心軸に沿って所定幅の凸壁が設けられており、前記歩行面の底面には、該歩行面の長尺側の中心軸に沿って所定幅の凹溝が形成されていることを特徴とする。【００１２】  前記足場は、歩行面の底面が跨設している部位の台座の表面側は、台座の表面に対して勾配が設けられていることを特徴とする。また、前記足場の少なくとも台座は、鉄筋コンクリートで成形されていることを特徴とする。
【発明の効果】
【００１３】  本発明の畦畔法面草刈り用足場ユニットは、鉄筋コンクリートで成形されているので強固であり、台座の長辺側の両側面に、法面の斜面に埋め込む突起が下方に突出されているので、前記足場ユニットを前記斜面に載置すると、前記突出が斜面に食込み安定して固定することができる。また、歩行部を形成する３角柱の斜辺が異なった角度に形成されているので、歩行面を反転させて設置すれば、法面の傾斜角度に合わせて、歩行面を、より水平に近づけるように設置することができる。さらに、他の実施例による台座には、歩行部と接する面に、所定の勾配が形成されている。これにより、法面の勾配に合わせて畦畔草刈り用足場ユニットを適用することにより、歩行面をより水平に近づけて設置することができる。
【図面の簡単な説明】
【００１４】
【図１】  本発明の畦畔法面草刈り用足場ユニットに係る実施形態の一例を示したもので、（ａ）は平面図、（ｂ）はＡ−Ａ断面図、（ｃ）はアンカーボルトを挿入した状態を示すＡ−Ａ断面図である。
【図２】  本発明の畦畔法面草刈り用足場ユニットに係る他の実施形態を示したもので、（ａ）は平面図、（ｂ）はＢ−Ｂ断面図、（ｃ）はアンカーボルトを挿入した状態を示すＢ−Ｂ断面図、（ｄ）は鉄筋を入れた状態を示すＢ−Ｂ断面図である。
【図３】  本発明の畦畔法面草刈り用足場ユニットに係る他の実施形態を示したもので、（ａ）は平面図、（ｂ）はＣ−Ｃ断面図、（ｃ）はアンカーボルトを挿入した状態を示すＣ−Ｃ断面図、（ｄ）は鉄筋を入れたＣ−Ｃ断面図である
【図４】  本発明の畦畔法面草刈り用足場ユニットに係る他の実施形態を示したもので、（ａ）は平面図、（ｂ）はＤ−Ｄ断面図、（ｃ）はアンカーボルトを挿入した状態を示すＥ−Ｅ断面図である。
【図５】  本発明のアンカーボルトの正面図である。
【図６】  本発明の実施形態の一例に示す畦畔法面草刈り用足場ユニットを法面に設置した状態を示す側面図である。
【図７】  本発明の他の実施形態を示す畦畔法面草刈り用足場ユニットを法面に設置した状態を示す側面図である。
【図８】  本発明の他の実施形態を示す畦畔法面草刈り用足場ユニットを法面に設置した状態を示す側面図である。
【図９】  本発明の他の実施形態を示す畦畔法面草刈り用足場ユニットを法面に設置した状態を示す側面図である。
【発明を実施するための形態】
【００１５】以下、図面に基づいて、畦畔法面草刈り用足場ユニットの詳細を説明する。図１は、本発明の畦畔法面草刈り用足場ユニットに係る実施形態の一例を示したもので、（ａ）は平面図、（ｂ）はＡ−Ａ断面図、（ｃ）はアンカーボルトを挿入した状態を示すＡ−Ａ断面図である。
【００１６】  本実施形態は、畦畔法面草刈り用足場ユニット１を三角柱の足場２とアンカーボルト３で構成した形態である。このように構成すれば、畦畔草刈り用足場ユニット１全体が軽量となるので、機材の作業現場への運搬及び設置作業を、より効率化することができる。
【００１７】  図１において、２は足場、４は歩行面Ａ、５は歩行面Ｂである、該歩行面Ａ４，Ｂ５の底面６には、長尺側の中心軸に沿って凹溝１０が形成されている。該凹溝１０の両外側部は、法面２０の斜面２１に埋め込む突起１２が下方に突出して形成される。また、前記歩行面Ａ４又は歩行面Ｂ５には、長辺の軸線方向に複数の貫通孔９が設けられている。
【００１８】  前記三角柱の足場２を形成するる各辺（歩行面Ａ，Ｂ及び底面６）に囲まれる角度は、例えば、頂部が７５°であり、側部が６０°と４５°に形成されている。なお、角度は前記記載の角度に限定されるものではなく、適宜変更して適用することが可能である。
【００１９】  前記歩行面Ａ４又は歩行面Ｂ５から底面６を貫通する段付きの貫通孔９が、長辺側と平行に複数個（本発明では３個）貫設されている。この貫通孔９には、図５に示すアンカーボルト３、及びナット、座金が挿通されており、該アンカーボルト３の先端部が、法面２０の斜面２１に打ち込まれることにより、前記足場２が前記斜面２１に固定される。
【００２０】  足場２は、コンクリート又は鉄筋コンクリートで成形されているが、プラスチックを用いてもよい。また、コンクリート、鉄筋コンクリート又はプラスチックを用いるときの足場２の各寸法は、適用する材質に最適な寸法に適宜変更して用いるものとする。例えば、コンクリート製の足場では、全長１０００〜２０００ｍｍ、歩行面の幅１５０〜３００ｍｍとしている。
【００２１】  畦畔法面草刈り用足場ユニット１は、法面２０の斜面２１に対して、上下方向及び左右方向に所定個数設置する。例えば、斜面の上下方向では、略２０００ｍｍ間隔で設置すれば、農業作業者が足場に立ってエンジン搭載の刈払機等を操作することができる。また、斜面２１を安全に横歩きできるように、前記畦畔法面草刈り用足場ユニット１は、略隙間なく連続して設置することが望ましい。なお、他の実施例による畦畔法面草刈り用足場ユニット１ａ，１ｂ，１ｃについても同様である。
【００２２】  図２は、本発明の畦畔法面草刈り用足場ユニット１ａに係る他の実施形態を示したもので、（ａ）は平面図、（ｂ）はＢ−Ｂ断面図、（ｃ）はアンカーボルトを挿入した状態を示すＢ−Ｂ断面図である。この実施形態では、足場２ａは、底面６ａが所定厚さを有するとともに、該底面６ａの幅が三角柱の長尺側に対して直角方向に延伸して台座８ａが形成されている。前記台座８ａは、全長１０００〜２０００ｍｍ、幅４００〜６００ｍｍ、歩行面の幅１５０〜３００ｍｍ、厚さ２０〜５０ｍｍに形成されており、前記台座８ａの長辺の両縁に下方に突設された突起１２は２０〜５０ｍｍである。
【００２３】  台座８ａは、長尺側の中心軸に沿って凹溝１０が形成されている。該凹溝１０の両外側部は、法面２０の斜面２１に埋め込む突起１２が下方に突出して形成されている。また、何れかの歩行面Ａ４，Ｂ５から台座８ａに貫通する複数の貫通孔９が長辺の軸線方向に設けられている。
【００２４】  歩行面Ａ４，Ｂ５は、台座８ａの長辺と同一長さを有しており、台座８ａを形成する歩行面Ａ４，Ｂ４及び台座８ａに囲まれる角度は、例えば、頂部が７５°であり、側部が６０°と４５°に形成されている。なお、この角度は限定されるものではなく、適宜変更して用いることが可能である。
【００２５】  前記何れかの歩行面Ａ４，Ｂ５から前記台座８ａの底面を貫通する段付き貫通孔９が、長辺側と平行に複数個（本発明では３個）貫設されている。この貫通孔９には、図５に示すアンカーボルト３、ナット及び座金が挿通されており、該アンカーボルト３の先端部が、法面２０の斜面２１に打ち込まれることにより、前記台座８ａ及び前記歩行部Ａ４，Ｂ５が前記斜面２１に固定される。
【００２６】  図３は、本発明の畦畔法面草刈り用足場ユニット１ｂに係る他の実施形態を示したもので、（ａ）は平面図、（ｂ）はＣ−Ｃ断面図、（ｃ）はアンカーボルトを挿入した状態を示すＣ−Ｃ断面図である。この実施形態では、台座８ｂと歩行面Ａ４，Ｂ５が分離して形成されている。台座８ｂは、長辺側の両側面に、法面２０の斜面２１に埋め込む突起１２が下方に突出されており、前記台座８ｂの長辺側と平行に複数の貫通孔９が設けられている。台座８ｂの表面側には、長尺側の中心軸上に所定幅を有する凸壁１１が形成されている。前記台座８ｂは、全長１０００〜２０００ｍｍ、幅４００〜６００ｍｍ、厚さ２０〜５０ｍｍに形成されており、台座８ｂの長辺の両縁に下方に突設された突起１２は２０〜５０ｍｍである。
【００２７】  台座８ｂの表面には、該台座８ｂの長辺と同一長さで歩行面Ａ４，Ｂ５を有する三角柱が跨設されている。該歩行面Ａ４，Ｂ５の底面（台座８ｂの表面と接する面）には、前記台座８ｂの表面側に設けられた凸壁１１に跨設させるための凹溝１０が形成されている。なお、前記台座８ｂの凸壁１１の表面と前記歩行面４，５の凹溝１０の底部に若干の隙間を設けているが、隙間を設けなくても、台座８ｂと歩行面Ａ４，Ｂ５の跨設は可能である。
【００２８】  前記歩行面Ａ４，Ｂ５の底面は台座８ｂの表面側の凸壁１１に跨設されており、他の２辺は農業作業者が法面２０の斜面２１を歩くための歩行面Ａ４，Ｂ５を形成している。前記三角柱の各辺に囲まれる角度は、頂部が７５°であり、側部が６０°と４５°に形成されている。なお、これらの角度は限定されるものではなく、適宜変更して用いることが可能である。
【００２９】  前記歩行面Ａ４，Ｂ５から前記台座８ｂの底面を貫通する段付き貫通孔９が、長辺側の軸線と平行に複数個（本発明では３個）貫設されている。この貫通孔９には、図５に示すアンカーボルト３、ナット及び座金が挿通されており、該アンカーボルト３の先端部が、法面２０の斜面２１に打ち込まれることにより、前記台座８ｂ及び前記歩行部Ａ４，Ｂ５が前記斜面２１に固定される。
【００３０】  図４は、本発明の畦畔法面草刈り用足場ユニット１ｃに係る他の実施形態を示したもので、（ａ）は平面図、（ｂ）はＤ−Ｄ断面図、（ｃ）はＥ−Ｅ断面図である。この実施形態では、台座８ｃと歩行面Ａ４，Ｂ５が分離して形成されている。台座８ｃの長辺側の両側面には、法面２０の斜面２１に埋め込む突起１２が下方に突出されており、前記台座８ｃの長辺の軸線方向に複数の貫通孔９が設けられている。また、台座８ｃの表面側は、台座８ｃの表面に対して１０°の勾配１３が設けられており、該勾配１３の上面には、長尺側の中心軸上に所定幅を有する凸壁１１が形成されている。前記台座８ｃは、全長１０００〜２０００ｍｍ、幅４００〜６００ｍｍ、厚さ２０〜５０ｍｍに形成されており、前記台座の長辺の両縁に下方に突設された突起１２は２０〜５０ｍｍである。
【００３１】  台座８ｃの表面には、該台座８ｃの長辺と同一長さを有する歩行面Ａ４，Ｂ５を構成する三角柱が跨設されている。該歩行面Ａ４，Ｂ４の底面（台座８ｃの表面と接する面）には、前記台座６ｃの表面側に設けられた凸壁１１に跨設するための凹溝１０が形成されている。前記台座８ｃの凸壁１１の表面と前記歩行面４，５の凹溝１０の底部に若干の隙間を設けているが、隙間を設けなくても、台座と歩行面の跨設は可能である。
【００３２】  前記歩行面Ａ４，Ｂ５の底面は台座８ｃの表面に跨設されており、他の２辺は、農業作業者が法面２０の斜面２１を歩くための歩行面Ａ４，Ｂ５を形成している。前記三角柱の各辺に囲まれる角度は、頂部が７５°であり、側部が６０°と４５°に形成されている。なお、これら限定されるものではなく、適宜変更して用いることが可能である。
【００３３】  前記歩行面Ａ４，Ｂ５の斜面から前記台座８ｃの底面を貫通する段付き貫通孔９が、長辺側と平行に複数（本発明では７個）貫設されている。このうち４個は台座８ｃと歩行面Ａ４，Ｂ５をボルト及びナット１４で締結する貫通孔９ｃであり、３個は、図５に示すアンカーボルト３、ナット及び座金を用いて、該アンカーボルト３の先端部が、法面２０の斜面２１に打ち込まれることにより、前記台座８ｃ及び前記歩行面Ａ４，Ｂ５が前記斜面２１に固定される。
【００３４】  図５は、アンカーボルト部の正面図である。アンカーボルト部は、アンカーボルト３、ナット及び座金より構成されている。前記アンカーボルト部は、硬質プラスチックであり、リサイクルした再生プラスチックを用いてもよい。前記アンカーボルトの基端は、ナットを螺設するネジが形成されており、先端部は法面２０の斜面２１に打込み易くするため鋭角に形成されている。
【００３５】  図６は、本発明の実施形態の一例を示す畦畔法面草刈り用足場ユニット１を法面２０の斜面２１に設置した状態を示す側面図である。図６（ａ）においては、３０°の斜面の下段側に、足場２の６０°側を載置することで、歩行面Ｂ５を設置することができる。図６（ｂ）においては、４５°の斜面の下段側に、足場２の４５°側を載置することで、歩行面Ａ４を設置することができる。
【００３６】図７は、本発明の他の実施形態を示す畦畔法面草刈り用足場ユニット１ａを法面２０の斜面２１に設置した状態を示す側面図である。図７（ａ）においては、３０°の斜面の下段側に、畦畔法面草刈り用足場ユニット１ａの６０°側を載置することで、歩行面Ｂ５を設置することができる。図７（ｂ）においては、４５°の斜面の下段側に、畦畔法面草刈り用足場ユニット１ａの４５°側を載置することで、歩行面Ａ４を設置することができる。
【００３７】図８は、本発明の他の実施形態を示す畦畔法面草刈り用足場ユニット１ｂを法面２０の斜面２１に設置した状態を示す側面図である。図８（ａ）においては、３０°の斜面の下段側に、足場２ｂの６０°側を載置することで、歩行面Ｂ５を設置することができる。図８（ｂ）においては、４５°の斜面の下段側に、畦畔法面草刈り用足場ユニット１ｂの４５°側を載置することで、歩行面Ａ４を設置することができる。
【００３８】図９は、本発明の他の実施形態を示す畦畔法面草刈り用足場ユニット１ｃを法面２０の斜面２１に設置した状態を示す側面図である。図９（ａ）においては、４０°の斜面２１の下段側に、畦畔法面草刈り用足場ユニット１ｃの６０°側を載置することで、歩行面Ｂ５を設置することができる。図９（ｂ）においては、５５°の斜面の下段側に畦畔法面草刈り用足場ユニット１ｃの４５°側を載置することで、歩行面Ａ４を設置することができる。
【００３９】図６〜図９に示すように、法面２９の斜面２１の傾斜角度に合わせて歩行面Ａ４又は歩行面Ｂ５の何れかを選択することで、最適な歩行面Ａ４又はＢ５を設置することができる。また、実施例４に示しす、勾配を設けた畦畔法面草刈り用足場ユニット１ｃを用いると、３０°以下の斜面２１又は５０°以上の斜面２１にも対応することが可能である。
【産業上の利用可能性】
【００４０】  本発明の畦畔法面草刈り用足場ユニットは、畦畔法面の様々な斜面角度に合わせて、足場の形態を選択することにより、最適な歩行面を構築することが可能である。これにより、畦畔草刈り用足場として広く利用することが可能である。
【符号の説明】
【００４１】  １、１ａ、１ｂ、１ｃ  畦畔法面草刈り用足場ユニット
２，２ａ，２ｂ，２ｃ  足場
３  アンカーボルト
４  歩行面Ａ
５  歩行面Ｂ
６  ６ａ、６ｂ、６ｃ  底面
８、８ａ、８ｂ、８ｃ  台座
９、９ｃ  貫通孔
１０  凹溝
１１  凸壁
１２  突起
１３  勾配
１４  締付ボルト、ナット
２０  法面
２１  斜面
２２  鉄筋
【図１】
2019143458.tif 000003
【図２】
2019143458.tif 000004
【図３】
2019143458.tif 000005
【図４】
2019143458.tif 000006
【図５】
2019143458.tif 000007
【図６】
2019143458.tif 000008
【図７】
2019143458.tif 000009
【図８】
2019143458.tif 000010
【図９】
2019143458.tif 000011